(57)【特許請求の範囲】
【請求項１】
ＣＤヘッドである第１のヘッドの換算累積動作時間Ｔ（ＣＤＴ）とＤＶＤヘッドである第２のヘッドの換算累積動作時間Ｔ（ＤＶＤＴ）とＢＤヘッドである第３のヘッドの換算累積動作時間Ｔ（ＢＤＴ）とを、以下の（１）から（３）の式に基づいて算出し、
算出した前記第１のヘッドの換算累積動作時間、前記第２のヘッドの換算累積動作時間及び前記第３のヘッドの換算累積動作時間を用いて前記第１のヘッドの使用率、前記第２のヘッドの使用率、及び前記第３のヘッドの使用率に変換し、
前記第１のヘッドの使用率、前記第２のヘッドの使用率、及び前記第３のヘッドの使用率のうち大きい値の使用率に基づいてメディアドライブの寿命を判定することを特徴とするメディアドライブの制御方法。
Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）ｒ＋ｅＴ（ＤＶＤ）ｒ＋ｆＴ（ＢＤ）ｒ＋ｇＴ（ｗａ）・・・（１）
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ（ＣＤ）ｒ＋ｅ’Ｔ（ＤＶＤ）ｒ＋ｆ’Ｔ（ＢＤ）ｒ＋ｇ’Ｔ（ｗａ）・・・（２）
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・・（３）
ここで、Ｔ（ＣＤ）ｗは前記ＣＤヘッドの累積書込み動作時間、Ｔ（ＤＶＤ）ｗは前記ＤＶＤヘッドの累積書込み動作時間、Ｔ（ＢＤ）ｗは前記ＢＤヘッドの累積書込み動作時間、Ｔ（ＣＤ）ｒは前記ＣＤヘッドの累積読出し動作時間、Ｔ（ＤＶＤ）ｒは前記ＤＶＤヘッドの累積読出し動作時間、Ｔ（ＢＤ）ｒは前記ＢＤヘッドの累積読出し動作時間、Ｔ（ｗａ）は累積待機時間である。また、ａ、ａ’、ａ’’、ｂ、ｂ’、ｂ’’、ｃ、ｃ’、ｃ’’、ｄ、ｄ’、ｄ’’、ｅ、ｅ’、ｅ’’、ｆ、ｆ’、ｆ’’及びｇ、ｇ’、ｇ’’は係数である。
【請求項２】
ＣＤヘッドである第１のヘッドと、ＤＶＤヘッドである第２のヘッドと、ＢＤヘッドである第３のヘッドとを有するメディアドライブを備え、
前記第１のヘッドの換算累積動作時間Ｔ（ＣＤＴ）と、前記第２のヘッドの換算累積動作時間Ｔ（ＤＶＤＴ）と、前記第３のヘッドの換算累積動作時間Ｔ（ＢＤＴ）とを、以下の（１）から（３）の式に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいて前記メディアドライブの寿命を判定することを特徴とする制御装置。
Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）ｒ＋ｅＴ（ＤＶＤ）ｒ＋ｆＴ（ＢＤ）ｒ＋ｇＴ（ｗａ）・・・（１）
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ（ＣＤ）ｒ＋ｅ’Ｔ（ＤＶＤ）ｒ＋ｆ’Ｔ（ＢＤ）ｒ＋ｇ’Ｔ（ｗａ）・・・（２）
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・・（３）
ここで、Ｔ（ＣＤ）ｗは前記ＣＤヘッドの累積書込み動作時間、Ｔ（ＤＶＤ）ｗは前記ＤＶＤヘッドの累積書込み動作時間、Ｔ（ＢＤ）ｗは前記ＢＤヘッドの累積書込み動作時間、Ｔ（ＣＤ）ｒは前記ＣＤヘッドの累積読出し動作時間、Ｔ（ＤＶＤ）ｒは前記ＤＶＤヘッドの累積読出し動作時間、Ｔ（ＢＤ）ｒは前記ＢＤヘッドの累積読出し動作時間、Ｔ（ｗａ）は累積待機時間である。また、ａ、ａ’、ａ’’、ｂ、ｂ’、ｂ’’、ｃ、ｃ’、ｃ’’、ｄ、ｄ’、ｄ’’、ｅ、ｅ’、ｅ’’、ｆ、ｆ’、ｆ’’及びｇ、ｇ’、ｇ’’は係数である。
【請求項３】
前記一番大きい値の使用率を表示し、前記一番大きい値の使用率が所定の値を超えた場合、警告メッセージを表示する表示部を備える請求項２に記載の制御装置。
【発明の詳細な説明】
【技術分野】
【０００１】
パブリッシャーに搭載された交換ユニットとしてのメディアドライブの制御方法および
制御装置に関する。
【背景技術】
【０００２】
ＣＤ（Ｃｏｍｐａｃｔ  Ｄｉｓｃ）、ＤＶＤ（Ｄｉｇｉｔａｌ  Ｖｅｒｓａｔｉｌｅ  
Ｄｉｓｃ）、ＢＤ（Ｂｌｕ−ｒａｙ  Ｄｉｓｃ）等のメディア（情報記録媒体）にデータ
の書き込み及び読み出しを行うメディアドライブを複数備える電子機器として、近年、多
数枚のブランクＣＤ、ＤＶＤやＢＤ等のメディアにデータの書き込みとレーベル印刷を行
うパブリッシャー（メディア処理装置）が知られている。
この種のパブリッシャーは、円板状のメディアを積層状態で収容するメディアスタッカ
（メディア収容部）、メディアへデータを書き込むメディアドライブ及びメディアのレー
ベル面に印刷を施すレーベルプリンター（メディア処理部）、これらメディア処理部（メ
ディアドライブやレーベルプリンター）に対してメディアを保持して搬送するメディア搬
送機構を備えている。
【０００３】
上記のパブリッシャーを使用するユーザーが、該パブリッシャーを構成する交換ユニッ
トであるメディアドライブの交換時期（寿命）を容易に把握できる方法として、以下のも
のが知られている。
交換可能なユニットである少なくとも１つのメディアドライブを備えた電子機器に接続
されたホストコンピューターが、電子機器に記憶されたメディアドライブの所定の種別の
メディアに対して使用するヘッドに係わる累積使用時間を含むメンテナンスカウンタ情報
を取得し、所定の種別のメディアに対して使用するヘッド毎に対して予め設定された保証
時間と、取得したメンテナンスカウンタ情報とに基づいて、累積使用時間／保証時間をヘ
ッド毎の寿命予測値として求め、ヘッド毎の寿命予測値のうちの最大値をメディアドライ
ブの寿命予測値として表示部に表示する。（特許文献１参照）
【先行技術文献】
【特許文献】
【０００４】
【特許文献１】特開２０１０−１９８６８４号公報
【発明の概要】
【発明が解決しようとする課題】
【０００５】
従来のパブリッシャーを構成する交換ユニットであるメディアドライブの交換時期（寿
命）の判定において、メディアドライブの所定の種別（ＣＤ、ＤＶＤ及びＢＤ）毎のヘッ
ドの累積使用時間をメンテナンスカウンタ情報から取得して、この累積使用時間と所定の
種別毎のヘッドの予め設定された保証時間とに基づいて、寿命予測値を求めていた。
しかし、発明者の研究によって、所定の種別毎のヘッドの寿命は、当該種別（例えば、
ＣＤ）のヘッドの寿命は、ＣＤのヘッドの累積使用時間（書込み時間と読出し時間の累積
時間）のみでは正確な寿命を得ることができず、ＣＤの累積使用時間のみではなく、当該
ＣＤと一体となってメディアドライブを形成する他の種別のヘッド（例えば、ＤＶＤヘッ
ド及びＢＤヘッド）の累積使用時間が影響することが判明した。
また、所定の種別毎のヘッドの寿命は、ＣＤ、ＤＶＤ、ＢＤのヘッドの累積使用時間に
更に、累積待機時間（ヘッドの待機時間の累積時間）が影響することも判明した。
【０００６】
本発明の課題（目的）は、ＣＤ、ＤＶＤ及びＢＤヘッドの単独の累積使用時間のみでは
なく、当該ＣＤ、ＤＶＤ及びＢＤヘッドと一体となってメディアドライブを形成する他の
ヘッドの累積使用時間又は累積待機時間をも考慮してより正確にメディアドライブの寿命
を判定する、メディアドライブの制御方法および制御装置を実現することにある。
【課題を解決するための手段】
【０００７】
上記課題を解決するための本発明のメディアドライブの制御方法は、第１のヘッドの換算累積動作時間と前記第１のヘッドと種別が異なる第２のヘッドの換算累積動作時間を、前記第１のヘッドの動作時間と前記第２のヘッドの動作時間とに基づいて算出し、算出した前記第１のヘッドの換算累積動作時間と前記第２のヘッドの換算累積動作時間を用いて前記第１のヘッドの使用率及び前記第２のヘッドの使用率に変換し、 前記第１のヘッドの使用率及び前記第２のヘッドの使用率のうち大きい値の使用率に基づいてメディアドライブの寿命を判定することを特徴とする。
また、第１のヘッドの換算累積動作時間と、前記第１のヘッドと種別が異なる第２のヘッドの換算累積動作時間と、前記第１のヘッド及び前記第２のヘッドと種別が異なる第３のヘッドの換算累積動作時間とを、前記第１のヘッドの動作時間、前記第２のヘッドの動作時間、及び前記第３のヘッドの動作時間に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいてメディアドライブの寿命を判定することを特徴とする。
【０００８】
上記の構成によって、ＣＤ、ＤＶＤ及びＢＤヘッド寿命をＣＤ、ＤＶＤ及びＢＤヘッド
の単独の累積使用時間のみではなく、当該ＣＤ、ＤＶＤ及びＢＤと一体となってメディア
ドライブを形成する他のヘッドの累積使用時間も考慮することによって、ＣＤ、ＤＶＤ及
びＢＤヘッドの寿命をより正確に計算することが可能になる。
また、ＣＤ、ＤＶＤ及びＢＤヘッドのいずれもが動作していない待機時間をも考慮する
ことによって、更に正確な寿命の計算が可能となる。
【０００９】
また、前記複数種別のヘッドは、ＣＤ、ＤＶＤ及びＢＤヘッドを含み、ＣＤ、ＤＶＤ及
びＢＤヘッドの各々の換算累積動作時間であるＴ（ＣＤＴ）、Ｔ（ＤＶＤＴ）及びＴ（Ｂ
ＤＴ）の算出は、以下の（１）から（３）の式に基づいて実行される、ことを特徴とする
。  Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）
ｒ＋ｅＴ（ＤＶＤ）ｒ＋ｆＴ（ＢＤ）ｒ＋ｇＴ（ｗａ）・・・（１）
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ（
ＣＤ）ｒ＋ｅ’Ｔ（ＤＶＤ）ｒ＋ｆ’Ｔ（ＢＤ）ｒ＋ｇ’Ｔ（ｗａ）・・・（２）
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ
’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・
・（３）
ここで、Ｔ（ＣＤ）ｗはＣＤヘッドの累積書込み動作時間、Ｔ（ＤＶＤ）ｗはＤＶＤヘ
ッドの累積書込み動作時間、Ｔ（ＢＤ）ｗはＢＤヘッドの累積書込み動作時間、Ｔ（ＣＤ
）ｒはＣＤヘッドの累積読出し動作時間、Ｔ（ＤＶＤ）ｒはDVDヘッドの累積読出し動作
時間、Ｔ（ＢＤ）ｒはＢＤヘッドの累積読出し動作時間、Ｔ（ｗａ）は累積待機時間であ
る。また、ａ、ａ’、ａ’’、ｂ、ｂ’、ｂ’’、ｃ、ｃ’、ｃ’’、ｄ、ｄ’、ｄ’’
、ｅ、ｅ’、ｅ’’、ｆ、ｆ’、ｆ’’及びｇ、ｇ’、ｇ’’は係数である。
【００１０】
上記計算式に使用される係数は、ＣＤ、ＤＶＤ及びＢＤヘッドのそれぞれの特性や配置
に応じて異なった値となるもので、それぞれ１〜０の間の数であり、ＣＤ、ＤＶＤ及びＢ
Ｄが一体となってメディアドライブを形成する他のヘッドの動作時間の影響の程度を示し
ている。
【００１１】
上記課題を解決するための本発明の制御装置は、第１のヘッドと、前記第１のヘッドと種別が異なる第２のヘッドと、前記第１のヘッド及び前記第２のヘッドと種別が異なる第３のヘッドとを有するメディアドライブを備え、前記第１のヘッドの換算累積動作時間と、前記第２のヘッドの換算累積動作時間と、前記第３のヘッドの換算累積動作時間とを、前記第１のヘッドの動作時間、前記第２のヘッドの動作時間、及び前記第３のヘッドの動作時間に基づいて算出し、算出した前記第１のヘッドの換算累積動作時間、前記第２のヘッドの換算累積動作時間、及び前記第３のヘッドの換算累積動作時間を用いて前記第１のヘッドの使用率、前記第２のヘッドの使用率、及び前記第３のヘッドの使用率に変換し、前記第１のヘッドの使用率、前記第２のヘッドの使用率、及び前記第３のヘッドの使用率のうち一番大きい値の使用率に基づいて前記メディアドライブの寿命を判定することを特徴とする。
【００１２】
上記構成によって、パブリッシャーに搭載された、交換可能なメディアドライブの寿命
をより正確に判定できるので、メディアドライブの使用効率をより向上することができる
。
【００１３】
また、前記複数種別のヘッドは、ＣＤ、ＤＶＤ及びＢＤヘッドを含み、ＣＤ、ＤＶＤ及
びＢＤヘッドの各々の換算累積動作時間であるＴ（ＣＤＴ）、Ｔ（ＤＶＤＴ）及びＴ（Ｂ
ＤＴ）を算出することを特徴とする。
【００１４】
また、前記一番大きい値の使用率を表示し、前記一番大きい値の使用率が所定の値を超えた場合、警告メッセージを表示する表示部を備えることを特徴とする。
【００１５】
また、前記パブリッシャーは前記メディアドライブを複数台備え、前記複数種別のヘッ
ドの各々の使用率に基づいて、メディアドライブを選択して使用するよう制御することを
特徴とする。
上記構成によって、例えばＣＤヘッドの使用率が１００％近く高くなって交換する際に
は、他のＤＶＤ及びＢＤヘッドの使用率もできるだけ１００％に近く成るように選択して
使用することによって、交換されて破棄されるメディアドライブの資源をより有効に利用
することができる。
【発明の効果】
【００１６】
本発明では、ＣＤ、ＤＶＤ及びＢＤヘッドの単独の累積使用時間のみではなく、当該Ｃ
Ｄ、ＤＶＤ及びＢＤヘッドと一体となってメディアドライブを形成する他のヘッドの累積
累積使用時間又は累積待機時間をも考慮してより正確にメディアドライブの寿命を判定す
ることが可能になる。
また、パブリッシャーに搭載されたメディアドライブのより正確な寿命の判定が可能な
制御装置が実現できる。
【図面の簡単な説明】
【００１７】
【図１】メディアドライブの寿命判定の手順を示すフローチャートである。
【図２】ＣＤ、ＤＶＤ及びＢＤヘッドの換算累積動作時間の算出に使用する係数を示す図である。
【図３】各部を閉状態としたパブリッシャーの外観斜視図である。
【図４】各部を開状態としたパブリッシャーの外観斜視図である。
【図５】パブリッシャーのケースを外した状態の前方上側から見た斜視図である。
【図６】パブリッシャーの機能を示す機能ブロック図である。
【図７】パブリッシャーの交換ユニットを示した概略構造を示す模式図である。
【発明を実施するための形態】
【００１８】
本発明の前提となるパブリッシャー（メディア処理装置）の全体構成について図３〜図
５を参照して説明する。
図３は、各部を閉状態としたパブリッシャーの外観斜視図、図４は各部を開状態とした
パブリッシャーの外観斜視図である。図５はパブリッシャーのケースを外した状態の前方
上側から見た斜視図である。
【００１９】
図３に示すように、パブリッシャー１は、ＣＤ、ＤＶＤ及びＢＤ等の円板状のメディア
ヘのデータの書き込みやメディアのレーベル面への印刷を行う装置であり、ほぼ直方体形
状のケース２を備えている。
このケース２の前面には、開閉可能な開閉扉３,４が取り付けられている。
ケース２の上側右端部には、表示ランプ、操作ボタンなどが配列された操作パネル５が
設けられている。
また、ケース２の下端には、下方に突出するように載置用の脚部６が左右両側に設けら
れている。左右の脚部６の間位置には引出機構７が設けられている。
【００２０】
図４及び図５に示すように、パブリッシャー１のケース２の内部には、データ書き込み
処理が行われていない複数枚（例えば５０枚）の未使用のメディアＭをスタック可能なメ
ディア保管部としてのメディアスタッカ２１と、複数枚（例えば５０枚）の作成済みメデ
ィアＭが保管されるメディア保管部としてのメディアスタッカ２２とが保管されるメディ
アＭの中心軸線が同一となるように上下に配置されている。
メディアスタッカ２１及びメディアスタッカ２２は、それぞれ所定位置に対して着脱自
在である。
【００２１】
上側のメディアスタッカ２１は、左右一対の円弧状の枠板２４，２５を備えており、こ
れにより、メディアＭを上側から受け入れ、同軸に積層した状態で収容可能な構成をなし
ている。
メディアスタッカ２１にメディアＭを収容あるいは補充する作業は、開閉扉３を開けて
メディアスタッカ２１を取り出すことにより、簡単に行うことが可能となっている。
【００２２】
下側のメディアスタッカ２２も同一構造となっており、左右一対の円弧状の枠板２７，
２８を備え、これによって、メディアＭを上側から受け入れ、同軸に積層した状態で収容
可能なメディアスタッカが構成されている。
【００２３】
図４及び図５に示すように、メディアスタッカ２１及びメディアスタッカ２２の後側に
は、メディア搬送機構３１が配置されている。メディア搬送機構３１は、本体フレーム３
０とシャーシ３２の天板３３との間に垂直に架け渡されている垂直ガイド軸３５を有して
いる。
この垂直ガイド軸３５に搬送アーム３６が昇降及び旋回可能な状態で支持されている。
搬送アーム３６は、駆動モータ３７によって垂直ガイド軸３５に沿って昇降可能である
とともに、垂直ガイド軸３５を中心に左右に旋回可能である。
【００２４】
メディアスタッカ２１，メディアスタッカ２２及びメディア搬送機構３１の側方の後方
の部位には、上下に積層された第１メディアドライブ４１，第２メディアドライブ５１が
配置されている。
この２つのメディアドライブ４１，５１は、メディアＭへのデータ書き込み位置とメデ
ィアＭの受け取り受け渡しを行うメディア受け渡し位置との間を移動可能なメディアトレ
イ４１ａ，５１ａをそれぞれ有している。
【００２５】
また、レーベルプリンター１１は、メディアＭのレーベル面へのレーベル印刷可能な印
刷位置とメディアＭの受け取り受け渡しを行うメディア受け渡し位置との間を移動可能な
メディアトレイ４５を有している。
【００２６】
図では、第１メディアドライブ４１，第２メディアドライブ５１のメディアトレイが手
前に引き出されてメディア受け渡し位置にある状態（トレイを開けた状態）及び下側のレ
ーベルプリンター１１のメディアトレイ４５が手前側のメディア受け渡し位置にある状態
が示されている。
また、レーベルプリンター１１はインクジェットプリンターであり、インク供給機構６
０として各色（例えば、ブラック、シアン、マゼンタ、イエロー、ライトシアン、ライト
マゼンタの６色）のインクカートリッジ１２が用いられ、これらのインクカートリッジ１
２がカートリッジ装着部１４の各カートリッジホルダ１３に前方から装着されている。
【００２７】
ここで、メディアスタッカ２１の左右一対の枠板２４，２５の間及びメディアスタッカ
２２の左右一対の枠板２７，２８の間には、メディア搬送機構３１の搬送アーム３６が昇
降可能な隙間が形成されている。
また、これら上下のメディアスタッカ２１とメディアスタッカ２２との間には、メディ
ア搬送機構３１の搬送アーム３６が水平に旋回して、メディアスタッカ２２の真上に位置
できるように隙間が開いている。
さらに、メディアトレイ４１ａ，５１ａをそれぞれ第１メディアドライブ４１，第２メ
ディアドライブ５１に押し込む（トレイを閉じる）と、メディア搬送機構３１の搬送アー
ム３６を下降させて、メディア受け渡し位置にあるメディアトレイ４５にアクセス可能と
なっている。
【００２８】
両メディアトレイ４１ａ，５１ａがデータ書き込み位置（トレイを閉じた状態）に位置
し、メディアトレイ４５が奥側の印刷位置に位置した状態で、メディア搬送機構３１の搬
送アーム３６は、メディアトレイ４５の高さ位置よりもさらに下側まで下降可能となって
いる。
そして、メディアトレイ４５のメディア受け渡し位置の下方には、搬送アーム３６がこ
の位置まで下降してリリースしたメディアＭが通過するガイド穴であって、後述するメデ
ィアスタッカ（別体メディアスタッカ）が装着されるガイド穴６５が形成されている。
【００２９】
図４に示すように、引出機構７は、本体フレーム３０の下側に、本体フレーム３０から
引き出して開いたり収納して閉じたりする開閉可能な引出トレイ７０を有している。
引出トレイ７０には、メディアスタッカ部７１が下方に凹んで設けられている。
引出トレイ７０が収納位置（閉位置）にあるとき、メディアスタッカ部７１は、ガイド
穴６５の下方に位置し、メディアスタッカ部７１の中心部は、受け渡し位置にある両メデ
ィアトレイ４１ａ，５１ａとメディアトレイ４５の中心軸線が同一となるように位置され
ている。
このメディアスタッカ部７１は、ガイド穴６５を介して投入されるメディアＭを受け入
れ、このメディアＭを比較的少量（例えば５枚〜１０枚程度）だけ収容する。
メディアスタッカ部７１は、メディアＭを上側から受け入れ、同軸に積層した状態で収
容可能となっている。
【００３０】
収納状態にある引出トレイ７０のメディアスタッカ部７１及びガイド穴６５には、メデ
ィアスタッカ部７１よりもメディアＭの収容量が多いメディアスタッカ（別体メディアス
タッカ）７２が着脱可能となっている（図４参照）。
このメディアスタッカ７２も、一対の円弧状の枠板７３，７４を備えており、これによ
って、メディアＭを上側から受け入れ、同軸に積層した状態で複数枚（例えば５０枚）収
容可能となっている。
一対の円弧状の枠板７３，７４の間には、メディア搬送機構３１の搬送アーム３６が昇
降可能な隙間が形成されている。
また、一方の枠板７４の上部には着脱時にユーザーによって把持される取っ手７５が設
けられている。
【００３１】
そして、メディアスタッカ７２を取り付けた状態とすれば、メディアスタッカ２２から
未使用のメディアＭを取り出し、メディアドライブ４１，５１およびレーベルプリンター
１１でデータ記録および印刷を行った後に、メディアスタッカ７２に収容することができ
る。
また、例えば、上側のメディアスタッカ２１および下側のメディアスタッカ２２にそれ
ぞれの最大収容枚数（５０枚＋５０枚）の未使用のメディアＭを装填し、下側のメディア
スタッカ２２の全枚数（５０枚）のメディアＭを順次処理してメディアスタッカ７２に収
容し、次に、上側のメディアスタッカ２１の全枚数（５０枚）のメディアＭを順次処理し
て、空となった下側のメディアスタッカ２２に収容する。
このようにして、上側のメディアスタッカ２１および下側のメディアスタッカ２２の最
大収容枚数（５０枚＋５０枚）のメディアＭを一度に処理する（バッチ処理モード）。
【００３２】
また、メディアスタッカ７２を取り外した状態とすれば、上側のメディアスタッカ２１
あるいは下側のメディアスタッカ２２から未使用のメディアＭを取り出し、第１のメディ
アドライブ４１又は第２のメディアドライブ５１及びレーベルプリンター１１でデータ記
録及び印刷を行った後に、収納状態にある引出トレイ７０のメディアスタッカ部７１に収
容することができる。
【００３３】
これにより、その後、引出トレイ７０を引き出すことでメディアスタッカ部７１から処
理が完了したメディアＭを取り出すことができる。つまり、メディアＭへの処理中であっ
ても、開閉扉３を閉じたまま、処理が完了したメディアＭから順に１枚ずつあるいは複数
枚ずつ取り出すことができる（外部排出モード）。
【００３４】
ここで、メディア搬送機構３１の搬送アーム３６の昇降及び左右への旋回の組み合わせ
動作によって、メディアＭは、メディアスタッカ２１、メディアスタッカ２２、引出トレ
イ７０のメディアスタッカ部７１（またはメディアスタッカ７２）、各メディアドライブ
４１（５１）のメディアトレイ４１ａ（５１ａ）及びレーベルプリンター１１のメディア
トレイ４５間で適宜搬送される。
【００３５】
次に、パブリッシャーの内部処理について説明する。
図６はパブリッシャーの機能を示す機能ブロック図である。
図７はパブリッシャーの交換ユニットを示した概略構造を示す模式図である。
【００３６】
図６において、パブリッシャー１は、装置各部の制御を司る制御部８０を有し、パブリ
ッシャー１内の第１メディアドライブ駆動部８１、第２メディアドライブ駆動部８２、レ
ーベルプリンター駆動部８３、メディア搬送機構駆動部８４等の制御を行う。
第１メディアドライブ駆動部８１は、制御部８０からの指示に従って第１メディアドラ
イブ４１を駆動制御する。
第２メディアドライブ駆動部８２は、制御部８０からの指示に従って第２メディアドラ
イブ５１を駆動制御する。
レーベルプリンター駆動部８２は、制御部８０からの指示に従ってレーベルプリンター
１１を駆動制御する。メディア搬送機構駆動部８４は、制御部８０からの指示に従ってメ
ディア搬送機構３１を駆動制御する。
なお、図６では、第１メディアドライブ４１又は第２メディアドライブ５２、レーベル
プリンター１１、メディア搬送機構３１がすべて１つの制御部８０で管理されているよう
に記載したが、それぞれに対応する制御部及び通信部を設けた構成としてもよい。
【００３７】
また、パブリッシャー１は、第１メディアドライブ駆動部８１、第２メディアドライブ
駆動部８２、レーベルプリンター駆動部８３、メディア搬送機構駆動部８４以外に、メデ
ィアに書込むためのデータと該メディアのレーベル面にレーベル印刷する画像データを一
時的に記憶するデータ記憶部８５と、メンテナンスカウンタ情報が記憶される不揮発性記
憶部８６と、操作パネル５に配置されるテンキーなどの英数字キー群、各種のファンクシ
ョンキー群及び状態表示ランプなどの表示器群を備えた操作部８７と、ホストコンピュー
ター（制御装置）１００と通信を行うための通信部８８とを備えている。
データ記憶部８５としては、例えばＲＡＭ（Ｒａｎｄｏｍ  Ａｃｃｅｓｓ  Ｍｅｍｏｒ
ｙ）などの揮発性メモリが用いられる。また、不揮発性記憶部８６（不揮発性メモリ）と
しては、データの書き換えを行うことから、例えばＥＥＰＲＯＭやフラッシュＲＯＭなど
の不揮発性メモリが用いられる。
通信部８８とホストコンピューター１００は専用通信回線あるいは一般通信回線によっ
て接続される。
【００３８】
図７は、パブリッシャーの構成を簡略化して交換可能なユニット４１，５１，１１を明
示した模式図であり、第１メディアドライブ４１、第２メディアドライブ５１、レーベル
プリンター１１は、パブリッシャー１全体の寿命が来る前に、ユニット単位で交換が可能
である。
【００３９】
制御部８０は、通常は、ホストコンピューター１００から供給されるコマンドに基づき
、メディア作成動作（データ書込み／読出し処理、レーベル印刷処理）を行う。
まず、ホストコンピューター１００から通信部８８へメディアに書込むためのデータと
レーベル印刷するための画像データが送られてくると、制御部８０は、それらをデータ記
憶部８５に格納する。
【００４０】
次に、制御部８０は、メディア搬送機構駆動部８４と第１メディアドライブ駆動部８１
又は第２メディアドライブ駆動部８２を順次駆動制御し、例えば、図５及び図７に示すメ
ディアスタッカ２１又は２２からブランクのメディアＭをピックアップする。
そして、メディアトレイ４１ａ又はメディアトレイ５１ａを開けて該メディアＭを載置
し、該メディアトレイ（メディアトレイ４１ａ又はメディアトレイ５１ａ）を閉じて（書
き込み位置にメディアトレイを移動させて）、第１メディアドライブ４１又は第２メディ
アドライブ５１によってメディアＭに対してデータ記憶部８５に格納されたデータの書込
み処理を行う。なお、読出し処理は、書込み処理時のデータのチェック等として行われ、
書込み処理の逆の処理等が行われる。
このとき、制御部８０は、メディアトレイ４１ａ又はメディアトレイ５１ａの開閉回数
をカウントし、書込み／読出し処理の時間を、メディアの種別を判別してメディアの種別
毎にカウントする。例えば、書込み／読出し処理の時間のカウントは、書込み／読出し処
理の開始時刻と終了時刻を検出し、両者の時間間隔を算出することにより行う。また、書
込み／読出しのデータの大きさと書込み／読出し速度とを用いて、書込み／読出し処理の
時間のカウントを行うこともできる。
上記メディアの種別とは、ＣＤ、ＤＶＤ及びＢＤ等、使用するヘッドが異なるメディア
である。
【００４１】
データの書込み／読出し処理が終了した後、制御部８０は、第１メディアドライブ駆動
部８１又は第２メディアドライブ駆動部８２とメディア搬送機構駆動部８４とを順次駆動
制御して、該メディアトレイ（メディアトレイ４１ａ又はメディアトレイ５１ａ）を開け
てメディアＭをピックアップして、該メディアトレイ（メディアトレイ４１ａ又はメディ
アトレイ５１ａ）を閉じ、手前側のメディア受け渡し位置にあるメディアトレイ４５まで
メディアＭを搬送して載置し、メディアトレイ４５を奥側の印刷位置に移動させる。
このとき、制御部８０は、メディアトレイ４１ａ又はメディアトレイ５１ａの開閉回数
をカウントする。
【００４２】
次に、制御部８０は、レーベルプリンター駆動部８３を駆動制御して、レーベルプリン
ター１１によって当該メディアＭのレーベル面へ、データ記憶部８５に格納された前記画
像データの印刷処理を行う。
このとき、制御部８０は、印刷枚数をカウントする。
【００４３】
上記印刷処理が終了した後、制御部８０は、メディア搬送機構駆動部８４を駆動制御し
て、印刷処理が終了したメディアＭをメディア搬送機構３１によって、所定のメディアス
タッカ（２２又は７１（７２））に搬送させる。
【００４４】
不揮発性記憶部８６にはパブリッシャー１のメンテナンスカウンタ情報を記憶する領域
が設けられている。
この記憶領域には、製品シリアル番号と、各メディアドライブ４１，５１のメディアト
レイ開閉の累積回数と、メディアの種別毎のデータ書込み／読出し処理の累積動作時間（
累積書込み動作時間と累積読出し動作時間）と、レーベルプリンター１１のる累積印刷枚
数と、を少なくとも含むメンテナンスカウンタ情報が記憶される。パブリッシャー１が稼
動状態であるが、当該メディアドライブが動作していない累積時間である累積待機時間は
、メンテナンスカウンタ情報から算出可能であるが、累積待機時間を含めてメンテナンス
情報として記憶も可能である。
【００４５】
制御部８０は、パブリッシャー１の各駆動部（第１メディアドライブ駆動部８１、第２
メディアドライブ駆動部８２、レーベルプリンター駆動部８３、メディア搬送機構駆動部
８４）の駆動制御を行ったときに、前述のようにカウントした各メディアトレイの開閉回
数、メディアの種別毎の書込み／読出し動作時間、印刷枚数等を加算して、上記メンテナ
ンスカウンタ情報を更新する機能を有している。
【００４６】
各交換ユニットの寿命は、交換ユニットを構成する各部品単位の寿命に左右される。
よって、ある部品の寿命が尽きた場合は、メンテナンスとして、交換ユニット単位で交
換する必要がある。
一般に、交換ユニットとしてのメディアドライブの全体の寿命は、１つはその構成部品
であるデータ書込み又は読出しヘッド（光ピックアップやレーザー光源などを備える）の
寿命に制限される。
ＣＤ、ＤＶＤ及びＢＤではデータ書込み／読出しにそれぞれ異なる波長のレーザー光を
使用するので、メディアドライブは、複数のヘッドを搭載している。
このため、ＣＤに対する書込み／読出し動作時間とＤＶＤ又はＢＤに対する書込み／読
出し動作時間を分けて、各々のヘッド（ＣＤ、ＤＶＤ及びＢＤヘッド）の使用時間（動作
時間）を考慮し、いずれか一つのヘッドの寿命が尽きた場合、そのメディアドライブを交
換する必要がある。
【００４７】
従って、各々のヘッドの使用時間が、ＣＤの書込み／読出しに対する保証時間（耐久性
を保証する上限値）、ＤＶＤの書込み／読出しに対する保証時間（耐久性を保証する上限
値）及びＢＤの書込み／読出しに対する保証時間（耐久性を保証する上限値）のうちの１
つでも超えた場合は、交換ユニットである当該メディアドライブを交換する必要がある。
そして、このメディアドライブの交換時期がメディアドライブの寿命であり、この寿命を
正確に判断することにより、全体としてパブリッシャー１の使用効率を向上することがで
きる。
【００４８】
本発明では、寿命の判定において、ＣＤ、ＤＶＤおよびＢＤの書込み／読出しに対する
保証時間と比較する各々のヘッドの使用時間に、換算累積動作時間を用いて、寿命を正確
に判断する。ＣＤ、ＤＶＤおよびＢＤヘッドの各々の換算累積動作時間は、ＣＤ、ＤＶＤ
及びＢＤヘッドの単独の累積使用時間のみではなく、当該ＣＤ、ＤＶＤ及びＢＤヘッドと
一体となってメディアドライブを形成する他のヘッドの累積使用時間又は累積待機時間を
も考慮して算出されるものである。累積待機時間は、パブリッシャー１が稼動状態である
が、当該メディアドライブが動作していない時間の累積時間である。
【００４９】
本発明におけるＣＤヘッドの換算累積動作時間Ｔ（ＣＤＴ）の算出は下記の式（１）で
行われる。
Ｔ（ＣＤＴ）＝ａＴ（ＣＤ）ｗ＋ｂＴ（ＤＶＤ）ｗ＋ｃＴ（ＢＤ）ｗ＋ｄＴ（ＣＤ）ｒ
＋ｅＴ（ＤＶＤ）ｒ＋ｆＴ（ＢＤ）ｒ＋ｇＴ（ｗａ）・・・（１）
ここで、Ｔ（ＣＤ）ｗはＣＤの累積書込み動作時間、Ｔ（ＤＶＤ）ｗはＤＶＤの累積書
込み動作時間、Ｔ（ＢＤ）ｗはＢＤの累積書込み動作時間、Ｔ（ＣＤ）ｒはＣＤの累積読
出し動作時間、Ｔ（ＤＶＤ）ｒはＤＶＤの累積読出し動作時間、Ｔ（ＢＤ）ｒはＢＤの累
積読出し動作時間、Ｔ（ｗａ）は累積待機時間である。
また、ａ、ｂ、ｃ、ｄ、ｅ、ｆ及びｇは、図２の（ａ）に示すＣＤの換算累積動作時間
の計算に使用する係数であり、各ヘッドのそれぞれの特性や配置に応じて異なった値とな
るもので、他のヘッドの動作時間の影響の程度を示している。
【００５０】
本発明におけるＤＶＤヘッドの換算累積動作時間Ｔ（ＤＶＤＴ）の計算は下記の式（２
）で行われる。
Ｔ（ＤＶＤＴ）＝ａ’Ｔ（ＣＤ）ｗ＋ｂ’Ｔ（ＤＶＤ）ｗ＋ｃ’Ｔ（ＢＤ）ｗ＋ｄ’Ｔ
（ＣＤ）ｒ＋ｅ’Ｔ（ＤＶＤ）ｒ＋ｆ’Ｔ（ＢＤ）ｒ＋ｇ’Ｔ（ｗａ）・・・（２）
ここで、Ｔ（ＣＤ）ｗはＣＤの累積書込み動作時間、Ｔ（ＤＶＤ）ｗはＤＶＤの累積書
込み動作時間、Ｔ（ＢＤ）ｗはＢＤの累積書込み動作時間、Ｔ（ＣＤ）ｒはＣＤの累積読
出し動作時間、Ｔ（ＤＶＤ）ｒはＤＶＤの累積読出し動作時間、Ｔ（ＢＤ）ｒはＢＤの累
積読出し動作時間、Ｔ（ｗａ）は累積待機時間である。
また、ａ’、ｂ’、ｃ’、ｄ’、ｅ’、ｆ’及びｇ’は、図２の（ｂ）に示すＤＶＤの
換算累積動作時間の計算に使用する係数であり、各ヘッドのそれぞれの特性や配置に応じ
て異なった値となるもので、他のヘッドの動作時間の影響の程度を示している。
【００５１】
本発明におけるＢＤヘッドの換算累積動作時間Ｔ（ＢＤＴ）の計算は下記の式（３）で
行われる。
Ｔ（ＢＤＴ）＝ａ’’Ｔ（ＣＤ）ｗ＋ｂ’’Ｔ（ＤＶＤ）ｗ＋ｃ’’Ｔ（ＢＤ）ｗ＋ｄ
’’Ｔ（ＣＤ）ｒ＋ｅ’’Ｔ（ＤＶＤ）ｒ＋ｆ’’Ｔ（ＢＤ）ｒ＋ｇ’’Ｔ（ｗａ）・・
・（３）
ここで、Ｔ（ＣＤ）ｗはＣＤの累積書込み動作時間、Ｔ（ＤＶＤ）ｗはＤＶＤの累積書
込み動作時間、Ｔ（ＢＤ）ｗはＢＤの累積書込み動作時間、Ｔ（ＣＤ）ｒはＣＤの累積読
出し動作時間、Ｔ（ＤＶＤ）ｒはＤＶＤの累積読出し動作時間、Ｔ（ＢＤ）ｒはＢＤの累
積読出し動作時間、Ｔ（ｗａ）は累積待機時間である。
また、a’’、ｂ’’、ｃ’’、ｄ’’、e’’、ｆ’’及びｇ’’は、図２の（ｃ）に
示すＢＤの換算累積動作時間の算出に使用する係数であり、各ヘッドのそれぞれの特性や
配置に応じて異なった値となるもので、他のヘッドの動作時間の影響の程度を示している
。
【００５２】
次に、本発明におけるパブリッシャー１のメディアドライブ４１，５１の寿命判定の手
順を図１のフローチャートを用いて説明する。  
・パブリッシャー１に接続されたホストコンピューター１００は、寿命判定のプログラム
を起動すると、パブリッシャー１にメンテナンスカウンタ情報の要求コマンドを送信する
（ステップＳ１）。
・パブリッシャー１は、メンテナンスカウンタ情報の要求コマンドを受信する（ステップ
Ｓ２）と、不揮発性記憶部８６の記憶領域のメンテナンスカウンタ情報をホストコンピュ
ーター１００へ送信する（ステップＳ３）。
・ホストコンピューター１００は、メンテナンスカウンタ情報を受信し（ステップＳ4）
、予め設定された、各係数（ａ〜ｇ、ａ’〜ｇ’、a’’〜ｇ’’）と、取得したメンテ
ナンスカウンタ情報とに基づいて、計算式（１）、（２）、（３）を用いて、各ヘッドの
換算累積動作時間（Ｔ（ＣＤＴ）、Ｔ（ＤＶＤＴ）、Ｔ（ＢＤＴ））を算出する（ステッ
プＳ５）。
・ホストコンピューター１００は、各ヘッドの算出された換算累積動作時間を各ヘッドの
それぞれの想定寿命時間で割り算した値である使用率（％）を算出する（ステップＳ６）
。ここでの想定寿命時間は、ＣＤ、ＤＶＤ及びＢＤの各々の書込み／読出しに対する保証
時間とするが、この保証時間に近い値を用いることも可能である。
・ホストコンピューター１００は、求めた使用率（％）のうち一番大きい使用率（％）を
予め設定された所定の値（％）、例えば、９０％、１００％を超えているかどうか判定す
る（ステップＳ７）。
・ホストコンピューター１００の表示部１０１は、一番大きい使用率（％）を表示すると
ともに、ステップＳ７で、使用率が９０％を超えるヘッドがある場合（寿命に近い場合）
は、ホストコンピューター１００は、メディアドライブが寿命に近いことの警告メッセー
ジを表示する。また、１００％を超えるヘッドがある場合（寿命を超えた場合）は、メデ
ィアドライブの寿命に達した旨のエラーメッセージを表示する（ステップＳ８）。
【００５３】
上記のパブリッシャー１のメディアドライブ４１，５１の寿命判定の手順は、単独で行わ
れてもよいが、ホストコンピューター１００から指示されるメディア作成動作のジョブに
組み込まれ、パブリッシャー１がメディアの搬送を開始する前に行うことも可能である。
その場合、判定手順のステップＳ８において、一番大きい使用率（％）が９０％を超えて
いる場合は、警告メッセージを表示するともに、ユーザーにメディア作成動作の処理を継
続するかどうかの問い合わせをすることも可能である。また、一番大きい使用率（％）が
１００％を超えている場合は、エラーメッセージを表示するともに、パブリッシャー１は
、メディア作成動作の処理を中止し、ジョブを終了するようにしてもよい。
【００５４】
また、一番大きい使用率（％）を基に、メディアドライブの残存寿命を計算して交換時
期を予測して交換予定日時として表示することも可能である。
【００５５】
また、メディアドライブが複数台搭載されたパブリッシャーの場合には、複数台のメデ
ィアドライブの各ＣＤ、ＤＶＤ及びＢＤヘッドの換算累積動作時間を各ＣＤ、ＤＶＤ及び
ＢＤヘッドのそれぞれの想定寿命時間で割り算した使用率（％）を記憶しておき、同じメ
ディアドライブにおけるＣＤ、ＤＶＤ及びＢＤの使用率（％）をできる限り等しくするよ
うに選択して使用することによって、メディアドライブの交換時における各ヘッドの使用
率を１００％に近づけるように制御する。
上記構成によって、例えばＣＤヘッドの使用率が１００％に近くなって交換する際には
、他のＤＶＤ及びＢＤヘッドの使用率もできるだけ１００％に近く成るように選択して使
用することによって、交換されて破棄されるメディアドライブの資源をより有効に利用す
ることができる。
【００５６】
また、換算累積動作時間の算出に用いる図２の各係数（ａ〜ｇ、ａ’〜ｇ’、a’’〜
ｇ’’）は、メンテナンスカウンタ情報として、パブリッシャー１の不揮発性記憶部８６
には保存されてもよいし、ホストコンピューター１００が保存してもよい。また、上記の
寿命判定の手順をパブリッシャー１の制御部８１が実行することも可能であり、パブリッ
シャー１が表示部を備えていれば、使用率及びメッセージの表示も可能である。
【００５７】
また、メディアドライブの寿命として、メカ部分の損耗も含めて考慮する必要があり、
メディアトレイの開閉動作の保証回数（耐久性を保証する上限値）を超えた場合も、メデ
ィアドライブを交換する必要があり、この影響を上記の寿命判定の手順に加えれば、更に
正確な寿命の判定が可能となる。  
【符号の説明】
【００５８】
１：パブリッシャー（メディア処理装置），１１：レーベルプリンター，２１,２２：メ
ディアスタッカ，３１：メディア搬送機構，３１，４１：第１メディアドライブ，４１ａ
：メディアトレイ，４５：メディアトレイ，５１：第２メディアドライブ，５１ａ：メデ
ィアトレイ，７１：メディアスタッカ部，７２：メディアスタッカ，８０：制御部，８１
：第１メディアドライブ駆動部，８２：第２メディアドライブ駆動部，８３：レーベルプ
リンター駆動部，８４：メディア搬送機構駆動部，８５：データ記憶部，８６：不揮発性
記憶部，８７：操作部，８８：通信部，１００：ホストコンピューター（制御装置），１
０１：表示部
【図１】
0005903949.tif 000002
【図２】
0005903949.tif 000003
【図３】
0005903949.tif 000004
【図４】
0005903949.tif 000005
【図５】
0005903949.tif 000006
【図６】
0005903949.tif 000007
【図７】
0005903949.tif 000008